(57)【要約】【課題】ＩＣカードのかざす場所が見つけやすいリードライト機能付与装置を提供する。【解決手段】リードライト機能付与装置１０は、表示画面２Ｇを備えた表示装置２に対して着脱自在である。リードライト機能付与装置１０は、外部通信機器との間の通信経路を形成するための第１及び第２アンテナ２１、２２と、表示装置に接続可能な外部コネクタ３１と、第１及び第２アンテナ２１、２２及び外部コネクタ３１をつなぐ接続回路部と、を備える。表示装置２に対してリードライト機能付与装置１０を装着した場合、第１アンテナ２１の検知可能範囲と第２アンテナ２２の検知可能範囲とによって提供される無線通信経路は、表示画面２Ｇ上に位置する。【選択図】図２
2014127067.tif 000002
【特許請求の範囲】
【請求項１】
表示画面を備えた表示装置に対して着脱自在なリードライト機能付与装置であって、
外部通信機器との間の無線通信経路を形成するためのアンテナ部と、
前記表示装置に接続可能なインターフェース部と、
前記アンテナ部及び前記インターフェース部をつなぐ接続回路部と、
を備え、
前記表示装置へ装着された場合、前記アンテナ部の第１部分の検知可能範囲と、前記アンテナ部の第２部分の検知可能範囲とによって提供される無線通信経路が前記表示画面上に位置することを特徴とするリードライト機能付与装置。
【請求項２】
自身が前記表示装置へ装着された場合、前記アンテナ部は前記表示画面の周縁に位置することを特徴とする請求項１記載のリードライト機能付与装置。
【請求項３】
自身が前記表示装置へ装着された場合、前記第１部分の検知可能範囲と前記第２部分の検知可能範囲との重複部分が前記表示画面上に位置することを特徴とする請求項１または２記載のリードライト機能付与装置。
【請求項４】
前記アンテナ部と前記インターフェース部とを有するとともに、前記表示装置に装着された場合に前記表示装置を収容する収容部が形成された筐体とを備え、
前記筐体は、
前記アンテナ部を有するアンテナ筐体と、
前記アンテナ筐体に着脱自在であって、前記インターフェース部を有するインターフェース部筐体と、
を有し、
前記インターフェース部筐体を前記アンテナ筐体に装着することにより、前記収容部が形成されることを特徴とする請求項１ないし３のうちいずれか１項記載のリードライト機能付与装置。
【請求項５】
前記収容部が形成される収容部形成位置と、前記収容部形成位置から退避した退避位置との間で、前記アンテナ筐体に対して前記インターフェース部筐体を相対的に移動自在にする移動機構を備えることを特徴とする請求項４記載のリードライト機能付与装置。
【請求項６】
前記アンテナ筐体に対して前記インターフェース部筐体を着脱自在にする着脱機構を備え、
前記着脱機構は、磁石を有することを特徴とする請求項４または５記載のリードライト機能付与装置。
【請求項７】
前記アンテナ部と前記インターフェース部とを有するとともに、前記表示装置に装着された場合に前記表示装置を収容する収容部が形成された筐体とを備え、
前記筐体は、
前記アンテナ部を有するアンテナ筐体と、
前記アンテナ筐体に着脱自在であって、前記インターフェース部を有するインターフェース部筐体と、
を有し、
前記収容部は前記アンテナ筐体に形成されたことを特徴とする請求項１ないし３のうちいずれか１項記載のリードライト機能付与装置。
【請求項８】
前記筐体は、
前記外部電源からの電力を受け取る外部電力側受電部と、
前記外部電力側受電部が受け取った前記電力を前記表示端末へ供給する表示端末側給電部と、を有することを特徴とする請求項４ないし６のうちいずれか１項記載のリードライト機能付与装置。
【請求項９】
前記インターフェース部筐体は、
前記外部電源からの電力を受け取る外部電力側受電部と、
前記外部電力側受電部が受け取った前記電力を前記表示端末へ供給する表示端末側給電部と、を有することを特徴とする請求項８記載のリードライト機能付与装置。
【請求項１０】
前記筐体は直方体状に形成され、
前記表示装置へ装着された場合、前記表示画面側の面を天面と定義した場合、
前記インターフェース部筐体は、前記筐体の側面の一部を形成することを特徴とする請求項４ないし９のうちいずれか１項記載のリードライト機能付与装置。
【請求項１１】
前記表示装置に対して装着した場合、前記表示端末に設けられた端末アンテナと前記アンテナ部との間に位置する電波遮蔽部材を備えることを特徴とする請求項１ないし１０のうちいずれか１項記載のリードライト機能付与装置。
【請求項１２】
前記表示装置に対する制御信号を出力する信号出力部を備え、
前記制御信号は、前記アンテナ部と前記外部通信機器との間で通信が可能である旨の表示を、前記表示装置の前記表示画面に表示させるためのものであることを特徴とする請求項１ないし１１のうちいずれか１項記載のリードライト機能付与装置。
【請求項１３】
前記筐体に設けられた操作ボタンを備え、
前記信号出力部は、前記操作ボタンからの操作信号を前記制御信号として、前記表示装置へ出力することを特徴とする請求項１２記載のリードライト機能付与装置。
【請求項１４】
前記アンテナ部と前記外部通信機器との間で通信が可能な通信可能状態と、当該通信が不能な通信不能状態との間で切り替える切り替え部を備え、
前記信号出力部が前記制御信号を前記表示装置へ出力するとともに、
前記切り替え部は前記通信可能状態へ切り替えることを特徴とする請求項１２または１３記載のリードライト機能付与装置。
【請求項１５】
前記表示装置から出力された制御信号を入力する信号入力部を備え、
前記制御信号は、前記アンテナ部と前記外部通信機器との間で通信が可能な通信可能状態にするためのものであることを特徴とする請求項１ないし１４のうちいずれか１項記載のリードライト機能付与装置。
【請求項１６】
前記アンテナ部と前記外部通信機器との間で通信が可能な通信可能状態と、当該通信が不能な通信不能状態との間で切り替える切り替え部を備え、
前記表示装置から出力された制御信号が前記信号入力部に入力された場合、前記切り替え部は、前記アンテナ部と前記外部通信機器との間で通信が可能な通信可能状態に切り替えることを特徴とする請求項１５記載のリードライト機能付与装置。
【請求項１７】
前記アンテナ部を介して前記外部通信機器と通信を行う通信部を備え、
前記表示端末に設けられた端末側通信部が実行する通信プロトコルを端末側通信プロトコルと定義した場合、前記通信部が実行する通信プロトコルは、前記端末側通信プロトコルと異なることを特徴とする請求項１ないし１６のうちいずれか１項記載のリードライト機能付与装置。
【発明の詳細な説明】
【技術分野】
【０００１】
本発明はリードライト機能付与装置に関する。
【背景技術】
【０００２】
電波の送受信により所定の電気信号を読み取るリードライト装置が知られている。例えば、特許文献１に記載のリードライト機能付与装置は、ＩＣカードとの間で無線通信が可能なトランシーバと、コネクタを介してトランシーバと接続可能なコントローラモジュールと、を備える。
【先行技術文献】
【特許文献】
【０００３】
【特許文献１】特表２００２−５４３５１２号公報
【発明の概要】
【発明が解決しようとする課題】
【０００４】
しかしながら、特許文献１に記載のリードライト機能付与装置においては、ＩＣカードと通信するためのアンテナは、筐体に内蔵されていることが多い。このような問題を解決するために、ＩＣカードをかざす位置を示す識別子を筐体表面に設けるという手法がとられる。ところが、ユーザは、このような識別子に常に気づくとも限らないため、結局、筐体のあらゆるところに対して、ＩＣカードを何度もかざすこととなる。
【０００５】
また、最近では、スマートフォン等の携帯端末において、リード機能が搭載されているが、リード機能ライト機能を併せ持つものはない。そして、リード機能が搭載されている携帯端末の場合、筐体の前面に大きな表示画面が設けられるため、ＩＣカードをかざす位置は、筐体の背面に設定されることが多い。したがって、リーダ機能が搭載された携帯端末においてＩＣカードをかざす位置を特定することは困難である。
【０００６】
本発明は、斯かる実情に鑑み、ＩＣカードといった外部通信機器をかざす場所が見つけやすいリードライト機能付与装置を提供しようとするものである。
【課題を解決するための手段】
【０００７】
本発明は、表示画面を備えた表示装置に対して着脱自在なリードライト機能付与装置であって、外部通信機器との間の無線通信経路を形成するためのアンテナ部と、前記表示装置に接続可能なインターフェース部と、前記アンテナ部及び前記インターフェース部をつなぐ接続回路部と、を備え、前記表示装置へ装着された場合、前記アンテナ部の第１部分の検知可能範囲と、前記アンテナ部の第２部分の検知可能範囲とによって提供される無線通信経路が前記表示画面上に位置することを特徴とする。
【０００８】
自身が前記表示装置へ装着された場合、前記アンテナ部は前記表示画面の周縁に位置することが好ましい。また、自身が前記表示装置へ装着された場合、前記第１部分の検知可能範囲と前記第２部分の検知可能範囲との重複部分が前記表示画面上に位置することが好ましい。
【０００９】
前記アンテナ部と前記インターフェース部とを有するとともに、前記表示装置に装着された場合に前記表示装置を収容する収容部が形成された筐体とを備え、前記筐体は、前記アンテナ部を有するアンテナ筐体と、前記アンテナ筐体に着脱自在であって、前記インターフェース部を有するインターフェース部筐体と、を有し、前記インターフェース部筐体を前記アンテナ筐体に装着することにより、前記収容部が形成されることが好ましい。また、前記収容部が形成される収容部形成位置と、前記収容部形成位置から退避した退避位置との間で、前記アンテナ筐体に対して前記インターフェース部筐体を相対的に移動自在にする移動機構を備えることが好ましい。さらに、前記アンテナ筐体に対して前記インターフェース部筐体を着脱自在にする着脱機構を備え、前記着脱機構は、磁石を有することが好ましい。
【００１０】
前記アンテナ部と前記インターフェース部とを有するとともに、前記表示装置に装着された場合に前記表示装置を収容する収容部が形成された筐体とを備え、前記筐体は、前記アンテナ部を有するアンテナ筐体と、前記アンテナ筐体に着脱自在であって、前記インターフェース部を有するインターフェース部筐体と、を有し、前記収容部は前記アンテナ筐体に形成されたことが好ましい。
【００１１】
前記筐体は、前記外部電源からの電力を受け取る外部電力側受電部と、前記外部電力側受電部が受け取った前記電力を前記表示端末へ供給する表示端末側給電部と、を有することが好ましい。前記インターフェース部筐体は、前記外部電源からの電力を受け取る外部電力側受電部と、前記外部電力側受電部が受け取った前記電力を前記表示端末へ供給する表示端末側給電部と、を有することが好ましい。前記筐体は直方体状に形成され、前記表示装置へ装着された場合、前記表示画面側の面を天面と定義した場合、前記インターフェース部筐体は、前記筐体の側面の一部を形成することが好ましい。
【００１２】
前記表示装置に対して装着した場合、前記表示端末に設けられた端末アンテナと、前記第１または第２アンテナとの間に位置する電波遮蔽部材を備えることが好ましい。
【００１３】
前記表示装置に対する制御信号を出力する信号出力部を備え、前記制御信号は、前記第１または第２アンテナと前記外部通信機器との間で通信が可能である旨の表示を、前記表示装置の前記表示画面に表示させるためのものであることが好ましい。また、前記筐体に設けられた操作ボタンを備え、前記信号出力部は、前記操作ボタンからの操作信号を前記制御信号として、前記表示装置へ出力することが好ましい。さらに、前記第１または第２アンテナと前記外部通信機器との間で通信が可能な通信可能状態と、当該通信が不能な通信不能状態との間で切り替える切り替え部を備え、前記信号出力部が前記制御信号を前記表示装置へ出力するとともに、前記切り替え部は前記通信可能状態へ切り替えることが好ましい。
【００１４】
前記表示装置から出力された制御信号を入力する信号入力部を備え、前記制御信号は、前記第１または第２アンテナと前記外部通信機器との間で通信が可能な通信可能状態にするためのものであることが好ましい。また、前記第１または第２アンテナと前記外部通信機器との間で通信が可能な通信可能状態と、当該通信が不能な通信不能状態との間で切り替える切り替え部を備え、前記表示装置から出力された制御信号が前記信号入力部に入力された場合、前記切り替え部は、前記第１または第２アンテナと前記外部通信機器との間で通信が可能な通信可能状態に切り替えることが好ましい。
【００１５】
前記第１または第２アンテナを介して前記外部通信機器と通信を行う通信部を備え、前記表示端末に設けられた端末側通信部が実行する通信プロトコルを端末側通信プロトコルと定義した場合、前記通信部が実行する通信プロトコルは、前記端末側通信プロトコルと異なることが好ましい。
【発明の効果】
【００１６】
本発明によれば、ＩＣカードといった外部通信機器をかざす場所が見つけやすいという優れた効果を奏し得る。
【図面の簡単な説明】
【００１７】
【図１】表示装置に装着された状態のリードライト機能付与装置の概要を示す斜視図である。
【図２】表示装置及びリードライト機能付与装置の概要を示す斜視図である。
【図３】（Ａ）及び（Ｂ）は、リードライト機能付与装置の概要を示すＩＩＩ−ＩＩＩ線断面図である。
【図４】（Ａ）は、リードライト機能付与装置の概要を示す分解斜視図である。  （Ｂ）は、リードライト機能付与装置の筐体の概要を示すＩＶｂ−ＩＶｂ線断面図である。  （Ｃ）は、リードライト機能付与装置の筐体の概要を示すＩＶｃ−ＩＶｃ線断面図である。
【図５】（Ａ）は、表示装置に装着された状態のリードライト機能付与装置の概要を示す正面図である。  （Ｂ）は、リードライト機能付与装置の筐体の概要を示すＶｂ−Ｖｂ線断面図である。
【図６】表示装置及びリードライト機能付与装置の概要を示すブロック図である。
【図７】アンテナコントローラの概要を示すブロック図である。
【図８】リードライト機能付与装置が装着されるとともに、ＩＣカードをかざす旨の画像を表示する表示装置の概要を示す正面図である。
【図９】リードライト機能付与装置に設けられた移動機構の概要を示す分解斜視図である。
【図１０】（Ａ）及び（Ｂ）は、リードライト機能付与装置の概要を示す正面図である。
【図１１】リードライト機能付与装置の概要を示す正面図である。
【図１２】リードライト機能付与装置の概要を示す正面図である。
【発明を実施するための形態】
【００１８】
以下、添付図面を参照して、本発明の実施の形態を説明する。
【００１９】
図１〜２に示すように、リードライト機能付与装置１０は表示装置２に対して装着されるものである。表示装置２は、図２に示すように、携帯電話、スマートフォン、タブレット、タブレットＰＣなどといった携帯端末であり、筐体２Ａと、筐体２Ａに設けられた表示画面２Ｇと、筐体２Ａに設けられた入出力コネクタ２Ｃと、を備える。
【００２０】
筐体２Ａは、直方体状に形成され、天面には表示画面２Ｇが、側面には入出力コネクタ２Ｃが、それぞれ設けられる。表示画面２Ｇは、筐体２Ａに収容された処理装置（詳細は後述する）の制御の下、所定の画像を出力する出力手段として機能する。さらに、筐体２Ａに収容されたタッチパネルにより、表示画面２Ｇは入力手段としても機能する。
【００２１】
一方、リードライト機能付与装置１０は、ＩＣカード等との間で無線通信が可能なものであり、図２〜３に示すように、第１アンテナ２１と、第２アンテナ２２と、外部装置と接続可能な外部コネクタ３１と、表示装置２の入出力コネクタ２Ｃと接続可能な内部コネクタ３２と、第１〜２アンテナ２１、２２、外部コネクタ３１、及び内部コネクタ３２を有する筐体４０とを備える。
【００２２】
図３（Ａ）に示すように、直方体状に形成される筐体４０は、底面に設けられ表示装置２の天面を含む上方部分と嵌合する嵌合凹部４０Ｘと、天面に設けられ表示装置２の表示画面２Ｇを外部に露出するための開口（以下、窓部と称する）４０Ｗと、を有する。筐体４０の形成材料としては、剛性の高い材料（例えば、金属）、弾性を有する材料（例えば、金属や、プラスチック）、伸縮性を有する材料（例えば、シリコン樹脂）いずれでもよい。窓部４０Ｗは矩形状に形成される。また、嵌合凹部４０Ｘと窓部４０Ｗとは連通している。したがって、リードライト機能付与装置１０が表示装置２に対して装着された場合に、表示装置２の天面を含む上方部分は嵌合凹部４０Ｘと嵌合し（図３（Ｂ）参照）、窓部４０Ｗからは表示画面２Ｇが露出する（図１参照）。なお、嵌合凹部４０Ｘの代わりに、表示装置２の天面を含む上方部分を収容する収容凹部としてもよい。また、窓部４０Ｗは、開口のままとしてもよいし、開口にガラスなどの透光部材を設けてもよい。
【００２３】
図４（Ａ）に示すように、第１アンテナ２１及び第２アンテナ２２は、筐体４０の天面側に設けられる。外部コネクタ３１は、筐体４０の側面に設けられる。外部コネクタ３１としては、例えば、ＵＳＢコネクタなどがある。また、筐体４０は、外部コネクタ３１を有するコネクタ筐体部４０Ｃと、コネクタ筐体部４０Ｃに対して着脱自在であり、第１〜２アンテナ２１〜２２を有するアンテナ筐体部４０Ａと、コネクタ筐体部４０Ｃ及びアンテナ筐体部４０Ａを着脱自在にする着脱機構４０Ｅと、を有する。
【００２４】
図４（Ｂ）に示すように、アンテナ筐体部４０Ａのうち、コネクタ筐体部４０Ｃが装着される側面には、Ｓ極側が露出したＳ極磁石４０ＡＳと、アンテナ側内部端子４０ＡＴと、が設けられる。また、コネクタ筐体部４０Ｃのうち、アンテナ筐体部４０Ａが装着される側面には、Ｎ極側が露出したＮ極磁石４０ＣＮと、コネクタ側内部端子４０ＣＴとが設けられる。ここで、アンテナ筐体部４０Ａとコネクタ筐体部４０Ｃが装着された場合、Ｓ極磁石４０ＡＳはＮ極磁石４０ＣＮと正対し、アンテナ側内部端子４０ＡＴは、コネクタ側内部端子４０ＣＴと電気的に接続する。
【００２５】
また、図４（Ｃ）に示すように、アンテナ筐体部４０Ａのうち、コネクタ筐体部４０Ｃが装着される側面には、Ｎ極側が露出したＮ極磁石４０ＡＮが設けられる。そして、コネクタ筐体部４０Ｃのうち、アンテナ筐体部４０Ａが装着される側面には、Ｎ極側が露出したＮ極磁石４０ＣＮが設けられる。ここで、アンテナ筐体部４０Ａとコネクタ筐体部４０Ｃが装着された場合、Ｎ極磁石４０ＡＮはＳ極磁石４０ＣＳと正対する。
【００２６】
このように、磁石４０ＡＳ，４０ＡＮ，４０ＣＳ，４０ＣＮにより、着脱機構４０Ｅが形成される。そして、着脱機構４０Ｅによれば、コネクタ筐体部４０Ｃがアンテナ筐体部４０Ａに装着される際の向きは常に一義的に決まる。
【００２７】
図５（Ａ）に示すように、第１アンテナ２１及び第２アンテナ２２は、窓部４０Ｗの両側となるように筐体４０に内蔵されている。また、筐体４０は、透光性を有する材料から形成される。このため、第１アンテナ２１及び第２アンテナ２２を、筐体４０の外部から視認することができる。なお、筐体４０が遮光性を有する材料から形成される場合には、筐体４０の天面のうち、第１アンテナ２１及び第２アンテナ２２が形成された部分に、第１アンテナ２１及び第２アンテナ２２の形成位置を示す識別子を設けてもよい。さらに、第１アンテナ２１及び第２アンテナ２２は、第１アンテナ２１が電波を検知することのできる検知可能範囲２１Ａと、第２アンテナ２２が電波を検知することのできる検知可能範囲２２Ａとが重なるように、筐体４０に設けられる。そして、第１〜２アンテナ２１、２２によって提供される無線通信経路、すなわち検知可能範囲２１Ａと検知可能範囲２２Ａとの重複部分２３は、窓部４０Ｗの上に位置する（図５（Ｂ）参照）。
【００２８】
次に、表示装置２の詳細を説明する。
【００２９】
図６に示すように、表示装置２は、ＣＰＵ３Ａと、ＲＡＭ３Ｂと、ＲＯＭ３Ｃと、記憶装置３Ｄと、ディスプレイ３Ｇと、タッチパネル３Ｈと、スピーカ３Ｊと、ＬＥＤ等のランプ３Ｋと、電源入力端子３Ｌと、信号入出力端子３Ｍと、各部を電気的に接続するバス３Ｐと、を有する。
【００３０】
ＣＰＵ３Ａは、いわゆる中央演算処理装置であり、各種プログラムが実行されて、表示装置２の各種機能を実現する。ＲＡＭ３Ｂは、ＣＰＵ３Ａの作業領域として使用される。ＲＯＭ３Ｃは、ＣＰＵ３Ａで実行される基本ＯＳを記憶する。記憶装置３Ｄは、磁気ディスクを内蔵したハードディスク装置や、不揮発性の半導体フラッシュメモリ装置などで構成されており、ＣＰＵ３Ａで実行される各種プログラム（例えば、無線通信の支援アプリケーション）や、プログラムの実行によって得られたデータ等などが保存される。
【００３１】
ディスプレイ３Ｇは、プログラムの実行結果を出力するいわゆる出力手段であり、例えば、液晶ディスプレイなどがある。そして、ディスプレイ３Ｇのうち筐体２Ａから露出した部分が表示画面２Ｇ（図２参照）を形成する。タッチパネル３Ｈは、主として、表示装置２の操作を行うためのものである。スピーカ３Ｊは、プログラムの実行に基づいて所定の音を出力する。ランプ３Ｋは、プログラムの実行に基づいて、点灯、点滅、消灯の３つの状態を遷移する。
【００３２】
電源入力端子３Ｌは、外部電源からの電力を受電するとともに、受電した電力を、表示装置２の各部に電源を供給するものである。信号入出力端子３Ｍは、リードライト機能付与装置１０との間で通信を行うためのものである。電源入力端子３Ｌと信号入出力端子３Ｍとは、入出力コネクタ２Ｃに設けられる。なお、表示装置２は、表示装置２の各部品や、その他の装置（例えば、リードライト機能付与装置１０）へ電力を供給するバッテリーを内蔵してもよい。この場合、電源入力端子３Ｌは、その他の装置へ電力を供給する電源出力端子として機能する。
【００３３】
次に、リードライト機能付与装置１０を説明する。
【００３４】
リードライト機能付与装置１０は、電波を受信し、受信した電波に基づいて生成された信号を、表示装置２へ出力するためのものであり、ＣＰＵ１１と、ＲＡＭ１２と、ＲＯＭ１３と、第１〜２アンテナ２１、２２と、アンテナコントローラ１４と、操作ボタン１５と、電源入力端子１６と、電源出力端子１７と、信号入出力端子１８と、各部を電気的に接続するバス（接続回路部）１９と、を有する。
【００３５】
ＣＰＵ１１は、いわゆる中央演算処理装置であり、各種プログラムが実行されて、リードライト機能付与装置１０の各種機能を実現する。ＲＡＭ１２は、ＣＰＵ１１の作業領域として使用される。ＲＯＭ１３は、ＣＰＵ１１で実行される基本ＯＳを記憶する。
【００３６】
第１〜２アンテナ２１〜２２は、ＩＣカードとの通信経路を形成するためのものであり、ＩＣカードからの電波の受信、及び、所定の電気信号の生成を、それぞれ個別に行うことができる。
【００３７】
操作ボタン１５は、ＩＣカードとの無線通信を行う際に操作されるものであり、筐体４０（図１参照）に設けられる。
【００３８】
電源入力端子１６は、外部電源からの電力を受電するとともに、受電した電力を、リードライト機能付与装置１０の各部に電源を供給するものである。電源出力端子１７は、外部電源からの電力を表示装置２へ給電するためのものである。信号入出力端子１８は、表示装置２との間で通信を行うためのものである。なお、リードライト機能付与装置１０は、リードライト機能付与装置１０の各部品や、その他の装置（例えば、表示装置２）へ電力を供給するバッテリーを内蔵してもよい。この場合、電源入力端子１６は、その他の装置へ電力を供給する電源出力端子として機能する。
【００３９】
電源入力端子１６は、外部コネクタ３１に設けられる。また、電源出力端子１７と信号入出力端子１８とは、内部コネクタ３２に設けられる。
【００４０】
図７に示すように、アンテナコントローラ１４は、第１〜２アンテナ２１、２２を個別に制御するものであり、第１〜２アンテナ２１、２２の受信によって生成した電気信号を有効とする状態（通信有効状態）と、当該電気信号を無効とする状態（通信無効状態）との間で切り替える切り替え部１４Ａと、通信有効状態の場合に外部機器と通信を行うための通信部１４Ｂと、を有する。通信部１４Ｂは、少なくとも１つの通信プロトコルに対応している。なお、通信部１４Ｂは、２以上の通信プロトコルに対応しているものが好ましく、当該通信プロトコルは、表示装置２が備えていないものであることが好ましい。
【００４１】
次に、リードライト機能付与装置１０の使用方法について説明する。
【００４２】
まず、図１〜２に示すように、表示装置２にリードライト機能付与装置１０を装着すると、表示装置２の表示画面２Ｇは、リードライト機能付与装置１０の窓部４０Ｗから露出する。これにより、リードライト機能付与装置１０を表示装置２に装着しても、表示画面２Ｇ全体の視認性が失われることはない。
【００４３】
ここで、図５に示すように、リードライト機能付与装置１０の筐体４０の天面には、アンテナ２１、２２が設けられているため、表示画面２Ｇ近傍にＩＣカードをかざせば、ＩＣカードとの間で無線通信が可能となる。このように、入出力コネクタ２Ｃ及び内部コネクタ３２を介して表示装置２に接続されたリードライト機能付与装置１０は、ＩＣカードとの間の無線通信を行うとともに、表示装置２において、ＩＣカードのデータの読み込みや、ＩＣカードへのデータの書き込みを行うことができる。
【００４４】
そして、ＩＣカードをかざす位置は、ユーザが注視する表示画面２Ｇの近傍であるから、ユーザは、窓部４０Ｗの周りに配されたアンテナ２１、２２そのものや、アンテナ２１、２２が形成された位置を表す識別子に気づきやすい。結果、ユーザは、ＩＣカードをかざす場所を、すぐに見つけることができる。
【００４５】
また、第１〜２アンテナ２１〜２２が共に電波を検知することのできる重複部分２３が、窓部４０Ｗの上に位置するため、窓部４０Ｗの上、すなわち表示画面２Ｇの真上において、第１〜２アンテナ２１〜２２の感度がよくなる。したがって、ユーザが表示画面２Ｇ近傍をかざすことにより、ＩＣカードとの間で無線通信が可能となる。
【００４６】
そして、図４に示すように、筐体４０は、コネクタ筐体部４０Ｃとアンテナ筐体部４０Ａとを有するため、コネクタ筐体部４０Ｃとアンテナ筐体部４０Ａとのうちいずれか一方を表示装置２へ装着した後、他方を、表示装置２へ装着すれば、結果として、表示装置２を収容することができる。さらに、表示装置２を収容する嵌合凹部４０Ｘは、コネクタ筐体部４０Ｃをアンテナ筐体部４０Ａへ装着することにより形成されるため（図３（Ａ）参照）、表示装置２への収容作業が容易となる。また、筐体４０には着脱機構４０Ｅが設けられているため、コネクタ筐体部４０Ｃとアンテナ筐体部４０Ａとを互いに装着する際、装着の位置決めが容易となる。さらに、コネクタ筐体部４０Ｃにはコネクタ側内部端子４０ＣＴが設けられるため、コネクタ筐体部４０Ｃとアンテナ筐体部４０Ａとの装着により、表示装置２とリードライト機能付与装置１０とを接続することができる。
【００４７】
また、アンテナ筐体部４０Ａには、第１〜２アンテナ２１〜２２といった受動部品を設け、コネクタ筐体部４０Ｃには、ＣＰＵ１１、ＲＡＭ１２等といった能動部品を設けている。このため、能動部品等、コネクタ筐体部４０Ｃに設けられた部品が破損した場合、コネクタ筐体部４０Ｃのみを交換すれば済む。
【００４８】
図６に示すように、筐体４０は、外部電源からの電力を受電するとともに、受電した電力をリードライト機能付与装置１０の各部に電源を供給する電源入力端子１６と、外部電源からの電力を表示装置２へ給電する電源出力端子１７とを有するため、リードライト機能付与装置１０が装着された状態の表示装置２に対して、リードライト機能付与装置１０を介して外部電源を供給することができる。
【００４９】
また、操作ボタン１５が操作されると、ＣＰＵ１１は、表示装置２に対し、当該支援アプリケーションの起動のための制御信号を出力するとともに、切り替え部１４Ａは、通信無効状態から通信有効状態へ切り替える。表示信号２においては、当該制御信号の入力が検知されると、ＣＰＵ２Ａは、無線通信の支援アプリケーションを起動する。無線通信の支援アプリケーションが起動された場合、表示装置２の表示画面２Ｇには、ＩＣカードをかざす旨の画像６０が表示される（図８参照）。支援アプリケーションは、起動から一定期間が経過した後、自動で終了する。同様に、切り替え部１４Ａは、支援アプリケーションの起動から一定期間が経過した後、通信有効状態から通信無効状態へと切り替える。これにより、ユーザは、ＩＣカードのかざす場所をすぐに見つけることができる。また、切り替え部１４Ａにより、必要な期間だけ通信有効状態とし、それ以外は通信無効状態となるため、不要なＩＣカードとの無線通信を防ぐことができる。
【００５０】
上記実施形態では、操作ボタン１５からの操作信号の出力を契機として、通信有効状態へ遷移させるとともに、表示装置２の表示画面２ＧにＩＣカードをかざす旨の画像６０を表示したが、本発明はこれに限れない。当該画像６０を表示するためのトリガーとしては、操作ボタン１５からの操作信号を用いる代わりに、次のように行ってもよい。表示装置２において、無線通信の支援アプリケーションが起動された場合、表示装置２の表示画面２Ｇには、ＩＣカードをかざす旨の画像６０が表示される（図８参照）。ＣＰＵ１１は、当該支援アプリケーションの起動信号を、表示装置２から読み取る。当該支援アプリケーションの起動信号を読み取った後、切り替え部１４Ａは、通信無効状態から通信有効状態へ切り替える。そして、当該ＩＣカードをかざす旨の画像近傍にＩＣカードをかざすことにより、ＩＣカードとの無線通信を行うことができる。支援アプリケーションは、起動から一定期間が経過した後、自動で終了する。一方、切り替え部１４Ａは、支援アプリケーションの起動から一定期間が経過した後、通信有効状態から通信無効状態へと切り替える。なお、切り替え部１４Ａは、支援アプリケーションの終了信号を検知した後に、通信有効状態から通信無効状態へと切り替えてもよい。
【００５１】
なお、表示画面２ＧにＩＣカードをかざす旨の画像６０を表示する代わりに、ランプ３Ｋ（図６参照）の点灯・消灯・点滅や、スピーカ３Ｊ（図６参照）の鳴動を用いてもよい。
【００５２】
なお、図３（Ａ）に示すように、表示装置２に対してリードライト機能付与装置１０を装着した際、表示端末２に設けられた端末アンテナ２Ｒと、第１または第２アンテナ２１，２２との間に位置する電波遮蔽シート５０を備えていてもよい。電波遮蔽シート５０の形成材料としては、ニッケル、鉄、パーマロイなど、電磁シールド材料として公知のものであればよい。電波遮蔽シート５０によれば、表示端末２に設けられた端末アンテナと第１〜第２アンテナ２１，２２との干渉を防ぎ、第１〜第２アンテナ２１，２２とＩＣカードとの通信を確実に行うことができる。なお、電波遮蔽シート５０は、筐体４０または表示端末２の筐体に設けてもよい。
【００５３】
図６に示すように、通信部１４Ｂは、コネクタ筐体部４０Ｃに設けられるため、異なる通信部１４Ｂを備えたコネクタ筐体部４０Ｃを用意することで、あらゆる通信プロトコルの無線通信が可能となる。たとえば、表示装置２に、Ａ方式の通信プロトコルに対応した通信部を備えている場合、コネクタ筐体部４０Ｃに設けられる通信部１４Ｂは、Ａ方式とは異なる通信プロトコル(Ｂ方式やＣ方式)に対応していることが好ましい。これにより、表示装置２単体では、Ａ方式の通信しか実現できないが、リードライト機能付与装置１０を併用すれば、Ｂ方式や、Ｃ方式の通信を行うことができる。また、第１のコネクタ筐体部４０Ｃに設けられる通信部１４ＢはＢ方式の通信プロトコルに対応しており、第２のコネクタ筐体部４０Ｃに設けられる通信部１４ＢはＣ方式の通信プロトコルに対応している場合、アンテナ筐体部４０Ａへ装着するコネクタ筐体部を、第１のコネクタ筐体部４０Ｃと第２のコネクタ筐体部４０Ｃとから選択することにより、Ａ方式やＢ方式に対応した通信を行うことができる。したがって、これら複数のコネクタ筐体部４０Ｃと１つのアンテナ筐体部４０Ａとにより、各方式の通信プロトコルにも対応可能なリードライト機能付与装置を構成することができる。
【００５４】
図９に示すように、コネクタ筐体部４０Ｃがアンテナ筐体部４０Ａに対して相対的に移動自在とする移動機構７０を設けてもよい。移動機構７０は、コネクタ筐体部４０Ｃに設けられたスライド棒７０Ａと、アンテナ筐体部４０Ａに設けられた挿入孔７０Ｂとからなる。スライド棒７０Ａは、コネクタ筐体部４０Ｃのうちアンテナ筐体部４０Ａと正対する側面から突出するように設けられる。挿入孔７０Ｂは、スライド棒７０Ａが挿入可能な寸法を有するものであり、アンテナ筐体部４０Ａのうちコネクタ筐体部４０Ｃと正対する側面に形成される。このような移動機構７０により、コネクタ筐体部４０Ｃは、アンテナ筐体部４０Ａへの装着によって嵌合凹部が形成される嵌合凹部形成位置と、アンテナ筐体部４０Ａから離れた離隔位置と、の間で移動自在となる。
【００５５】
上記実施形態では、矩形状の窓部４０Ｗの一辺全体を形成するコネクタ筐体部４０Ｃを、アンテナ筐体部４０Ａに対して、着脱自在としたが、本発明はこれに限られず、図１０に示すように、矩形状の窓部４０Ｗの一辺の一部を形成するコネクタ筐体部４０Ｃをアンテナ筐体部４０Ａに対して、着脱自在としてもよい。また、アンテナ筐体部４０Ａとコネクタ筐体部４０Ｃとを連結する連結具８０を有していてもよい。
【００５６】
上記実施形態では、筐体４０に設けられた嵌合凹部４０Ｘは、アンテナ筐体部４０Ａにコネクタ筐体部４０Ｃを装着させることにより、形成したが、本発明はこれに限られない。例えば、図１１に示すように、筐体４０は、アンテナ筐体部４０Ａとコネクタ筐体部４０Ｃとを有し、嵌合凹部４０Ｘは、アンテナ筐体部４０Ａに形成される。また、アンテナ筐体部４０Ａには、内部コネクタ３２を挿入するための貫通孔４０Ｙが設けられる。このようなコネクタ筐体部４０Ｃをアンテナ筐体部４０Ａに装着させると、内部コネクタ３２は、貫通孔４０Ｙに挿入された後に、表示装置２の入出力コネクタ２Ｃと嵌合するとともに、コネクタ側内部端子４０ＡＣは、アンテナ側内部端子４０ＡＴと嵌合する。
【００５７】
なお、筐体４０におけるアンテナ２１、２２の設置位置は、表示画面２Ｇの近傍であれば、表示画面２Ｇの外周縁でも内周縁でもよい。また、アンテナ２１、２２の位置は、重複部分２３が表示画面２Ｇの上に位置するのであれば、筐体４０の天面に限られず、筐体の側面に設けてもよい。
【００５８】
また、リードライト機能付与装置１０におけるアンテナの設置数は、１個でも、３個以上でもよい。なお、表示画面を囲むように螺旋状に延びる１本のアンテナ線を用いる場合には、当該アンテナ線の一部を、それぞれ個別のアンテナとして用いることができる。例えば、図１２に示すように、矩形状の表示画面２Ｇを囲むように螺旋状に延びた１本のアンテナ線９０からなるアンテナを用いる場合には、アンテナ線９０のうち一の部分９０Ａを第１のアンテナ２１とし、他の部分９０Ｂを第２のアンテナ２２としてもよい。さらに、当該一の部分９０Ａと当該他の部分９０Ｂとは、表示画面２Ｇを介して、対向することが好ましい。これにより、第１〜２アンテナ２１、２２によって提供される無線通信経路を窓部４０Ｗの上に位置することができる。
【００５９】
なお、本発明のリードライト機能付与装置は、上記のリードライト機能付与装置１０のものに限られず、別部材と一体となった状態で表示装置２に着脱自在となっていてもよい。別部材としては、カバーやジャケットなどがある。そして、カバーやジャケットとして見開き型を採用した場合、当該別部材と一体となったリードライト機能付与装置は、例えば、ダイアリー型、ブックカバー型、ウォレット型や手帳型のリードライト機能付与装置となる。
【００６０】
尚、本発明のリードライト機能付与装置は、上記した実施の形態に限定されるものではなく、本発明の要旨を逸脱しない範囲内において種々変更を加え得ることは勿論である。
【符号の説明】
【００６１】
２    表示装置
２Ａ    筐体
２Ｃ    入出力コネクタ
２Ｇ    表示画面
１０    リードライト機能付与装置
１４    アンテナコントローラ
１５    操作ボタン
１６    電源入力端子
１７    電源出力端子
１８    信号入出力端子
２１，２２    アンテナ
２１Ａ    検知可能範囲
２２Ａ    検知可能範囲
２３    重複部分
３１    外部コネクタ
３２    内部コネクタ
４０    筐体
４０Ａ    アンテナ筐体部
４０Ｃ    コネクタ筐体部
４０Ｅ    着脱機構
４０Ｗ    窓部
４０Ｘ    嵌合凹部
５０    電波遮蔽シート
６０    画像
７０    移動機構
【図１】
2014127067.tif 000003
【図２】
2014127067.tif 000004
【図３】
2014127067.tif 000005
【図４】
2014127067.tif 000006
【図５】
2014127067.tif 000007
【図６】
2014127067.tif 000008
【図７】
2014127067.tif 000009
【図８】
2014127067.tif 000010
【図９】
2014127067.tif 000011
【図１０】
2014127067.tif 000012
【図１１】
2014127067.tif 000013
【図１２】
2014127067.tif 000014
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
表示画面を備えた表示装置に対して着脱自在なリードライト機能付与装置であって、
外部通信機器との間の無線通信経路を形成するためのアンテナ部と、
前記表示装置に接続可能なインターフェース部と、
前記アンテナ部及び前記インターフェース部をつなぐ接続回路部と、
を備え、
前記表示装置へ装着された場合、前記アンテナ部の第１部分の検知可能範囲と、前記アンテナ部の第２部分の検知可能範囲とによって提供される無線通信経路が前記表示画面上に位置するものであり、 
さらに、 
前記アンテナ部と前記インターフェース部とを有するとともに、前記表示装置に装着された場合に前記表示装置を収容する収容部が形成された筐体を備え、
前記筐体は、
前記アンテナ部を有するアンテナ筐体と、
前記アンテナ筐体に着脱自在であって、前記インターフェース部を有するインターフェース部筐体と、
を有し、
前記インターフェース部筐体を前記アンテナ筐体に装着することにより、前記収容部が形成されることを特徴とするリードライト機能付与装置。
【請求項２】
自身が前記表示装置へ装着された場合、前記アンテナ部は前記表示画面の周縁に位置することを特徴とする請求項１記載のリードライト機能付与装置。
【請求項３】
自身が前記表示装置へ装着された場合、前記第１部分の検知可能範囲と前記第２部分の検知可能範囲との重複部分が前記表示画面上に位置することを特徴とする請求項１または２記載のリードライト機能付与装置。
【請求項４】
前記収容部が形成される収容部形成位置と、前記収容部形成位置から退避した退避位置との間で、前記アンテナ筐体に対して前記インターフェース部筐体を相対的に移動自在にする移動機構を備えることを特徴とする請求項１ないし３のうちいずれか１項記載のリードライト機能付与装置。
【請求項５】
前記アンテナ筐体に対して前記インターフェース部筐体を着脱自在にする着脱機構を備え、
前記着脱機構は、磁石を有することを特徴とする請求項１ないし４のうちいずれか１項記載のリードライト機能付与装置。
【請求項６】
表示画面を備えた表示装置に対して着脱自在なリードライト機能付与装置であって、
外部通信機器との間の無線通信経路を形成するためのアンテナ部と、
前記表示装置に接続可能なインターフェース部と、
前記アンテナ部及び前記インターフェース部をつなぐ接続回路部と、
を備え、
前記表示装置へ装着された場合、前記アンテナ部の第１部分の検知可能範囲と、前記アンテナ部の第２部分の検知可能範囲とによって提供される無線通信経路が前記表示画面上に位置するものであり、    
さらに、
前記アンテナ部と前記インターフェース部とを有するとともに、前記表示装置に装着された場合に前記表示装置を収容する収容部が形成された筐体を備え、
前記筐体は、
前記アンテナ部を有するアンテナ筐体と、
前記アンテナ筐体に着脱自在であって、前記インターフェース部を有するインターフェース部筐体と、
を有し、
前記収容部は前記アンテナ筐体に形成されたことを特徴とするリードライト機能付与装置。
【請求項７】
前記筐体は、
外部電源からの電力を受け取る外部電力側受電部と、
前記外部電力側受電部が受け取った前記電力を前記表示装置へ供給する表示装置側給電部と、を有することを特徴とする請求項１ないし６のうちいずれか１項記載のリードライト機能付与装置。
【請求項８】
前記外部電力側受電部と前記表示装置側給電部とを前記インターフェース部筐体に設けることを特徴とする請求項７記載のリードライト機能付与装置。
【請求項９】
前記筐体は直方体状に形成され、
前記表示装置へ装着された場合、前記表示画面側の面を天面と定義した場合、
前記インターフェース部筐体は、前記筐体の側面の一部を形成することを特徴とする請求項１ないし８のうちいずれか１項記載のリードライト機能付与装置。
【請求項１０】
前記表示装置に対して装着した場合、前記表示装置に設けられた装置アンテナと前記アンテナ部との間に位置する電波遮蔽部材を備えることを特徴とする請求項１ないし９のうちいずれか１項記載のリードライト機能付与装置。
【請求項１１】
前記表示装置に対する第１制御信号を出力する信号出力部と、前記表示装置から出力された第２制御信号を入力する信号入力部と、のうち少なくとも一方を備えたことを特徴とする請求項１ないし１０のうちいずれか１項記載のリードライト機能付与装置。
【請求項１２】
前記第１制御信号は、前記アンテナ部と前記外部通信機器との間で通信が可能である旨の表示を、前記表示装置の前記表示画面に表示させるためのものであること、
または、
前記第２制御信号は、前記アンテナ部と前記外部通信機器との間で通信が可能な通信可能状態にするためのものであることを特徴とする請求項１１項記載のリードライト機能付与装置。
【請求項１３】
前記筐体に設けられた操作ボタンを備え、
前記信号出力部は、前記操作ボタンからの操作信号を前記第１制御信号として、前記表示装置へ出力することを特徴とする請求項１１または１２記載のリードライト機能付与装置。
【請求項１４】
前記アンテナ部と前記外部通信機器との間で通信が可能な通信可能状態と、当該通信が不能な通信不能状態との間で切り替える切り替え部を備えたことを特徴とする請求項１１ないし１３のうちいずれか１項記載のリードライト機能付与装置。
【請求項１５】
前記信号出力部が前記第１制御信号を前記表示装置へ出力するとともに、
前記切り替え部は前記通信可能状態へ切り替えることを特徴とする請求項１４記載のリードライト機能付与装置。
【請求項１６】
前記第２制御信号が前記信号入力部に入力された場合、前記切り替え部は、前記アンテナ部と前記外部通信機器との間で通信が可能な通信可能状態に切り替えることを特徴とする請求項１４または１５記載のリードライト機能付与装置。
【請求項１７】
前記アンテナ部を介して前記外部通信機器と通信を行う通信部を備え、
前記表示装置に設けられた装置側通信部が実行する通信プロトコルを装置側通信プロトコルと定義した場合、前記通信部が実行する通信プロトコルは、前記装置側通信プロトコルと異なることを特徴とする請求項１ないし１６のうちいずれか１項記載のリードライト機能付与装置。
【手続補正２】
【補正対象書類名】明細書
【補正対象項目名】０００７
【補正方法】変更
【補正の内容】
【０００７】
本発明は、表示画面を備えた表示装置に対して着脱自在なリードライト機能付与装置であって、外部通信機器との間の無線通信経路を形成するためのアンテナ部と、前記表示装置に接続可能なインターフェース部と、前記アンテナ部及び前記インターフェース部をつなぐ接続回路部と、を備え、前記表示装置へ装着された場合、前記アンテナ部の第１部分の検知可能範囲と、前記アンテナ部の第２部分の検知可能範囲とによって提供される無線通信経路が前記表示画面上に位置するものであり、さらに、前記アンテナ部と前記インターフェース部とを有するとともに、前記表示装置に装着された場合に前記表示装置を収容する収容部が形成された筐体を備え、前記筐体は、前記アンテナ部を有するアンテナ筐体と、前記アンテナ筐体に着脱自在であって、前記インターフェース部を有するインターフェース部筐体と、を有し、前記インターフェース部筐体を前記アンテナ筐体に装着することにより、前記収容部が形成されることを特徴とする。
【手続補正３】
【補正対象書類名】明細書
【補正対象項目名】０００８
【補正方法】変更
【補正の内容】
【０００８】
自身が前記表示装置へ装着された場合、前記アンテナ部は前記表示画面の周縁に位置することが好ましい。また、自身が前記表示装置へ装着された場合、前記第１部分の検知可能範囲と前記第２部分の検知可能範囲との重複部分が前記表示画面上に位置することが好ましい。さらに、前記収容部が形成される収容部形成位置と、前記収容部形成位置から退避した退避位置との間で、前記アンテナ筐体に対して前記インターフェース部筐体を相対的に移動自在にする移動機構を備えることが好ましい。加えて、前記アンテナ筐体に対して前記インターフェース部筐体を着脱自在にする着脱機構を備え、前記着脱機構は、磁石を有することが好ましい。
【手続補正４】
【補正対象書類名】明細書
【補正対象項目名】０００９
【補正方法】変更
【補正の内容】
【０００９】
また、本発明は、表示画面を備えた表示装置に対して着脱自在なリードライト機能付与装置であって、外部通信機器との間の無線通信経路を形成するためのアンテナ部と、前記表示装置に接続可能なインターフェース部と、前記アンテナ部及び前記インターフェース部をつなぐ接続回路部と、を備え、前記表示装置へ装着された場合、前記アンテナ部の第１部分の検知可能範囲と、前記アンテナ部の第２部分の検知可能範囲とによって提供される無線通信経路が前記表示画面上に位置するものであり、さらに、前記アンテナ部と前記インターフェース部とを有するとともに、前記表示装置に装着された場合に前記表示装置を収容する収容部が形成された筐体を備え、前記筐体は、前記アンテナ部を有するアンテナ筐体と、前記アンテナ筐体に着脱自在であって、前記インターフェース部を有するインターフェース部筐体と、を有し、前記収容部は前記アンテナ筐体に形成されたことを特徴とする。
【手続補正５】
【補正対象書類名】明細書
【補正対象項目名】００１０
【補正方法】変更
【補正の内容】
【００１０】
前記筐体は、外部電源からの電力を受け取る外部電力側受電部と、前記外部電力側受電部が受け取った前記電力を前記表示装置へ供給する表示装置側給電部と、を有することが好ましい。また、前記外部電力側受電部と前記表示装置側給電部とを前記インターフェース部筐体に設けることが好ましい。
【手続補正６】
【補正対象書類名】明細書
【補正対象項目名】００１１
【補正方法】変更
【補正の内容】
【００１１】
前記筐体は直方体状に形成され、前記表示装置へ装着された場合、前記表示画面側の面を天面と定義した場合、前記インターフェース部筐体は、前記筐体の側面の一部を形成することが好ましい。また、前記表示装置に対して装着した場合、前記表示装置に設けられた装置アンテナと前記アンテナ部との間に位置する電波遮蔽部材を備えることが好ましい。
【手続補正７】
【補正対象書類名】明細書
【補正対象項目名】００１２
【補正方法】変更
【補正の内容】
【００１２】
前記表示装置に対する第１制御信号を出力する信号出力部と、前記表示装置から出力された第２制御信号を入力する信号入力部と、のうち少なくとも一方を備えたことが好ましい。そして、前記第１制御信号は、前記アンテナ部と前記外部通信機器との間で通信が可能である旨の表示を、前記表示装置の前記表示画面に表示させるためのものであること、または、前記第２制御信号は、前記アンテナ部と前記外部通信機器との間で通信が可能な通信可能状態にするためのものであることが好ましい。
【手続補正８】
【補正対象書類名】明細書
【補正対象項目名】００１３
【補正方法】変更
【補正の内容】
【００１３】
前記筐体に設けられた操作ボタンを備え、前記信号出力部は、前記操作ボタンからの操作信号を前記第１制御信号として、前記表示装置へ出力することが好ましい。
【手続補正９】
【補正対象書類名】明細書
【補正対象項目名】００１４
【補正方法】変更
【補正の内容】
【００１４】
前記アンテナ部と前記外部通信機器との間で通信が可能な通信可能状態と、当該通信が不能な通信不能状態との間で切り替える切り替え部を備えたことが好ましい。また、前記信号出力部が前記第１制御信号を前記表示装置へ出力するとともに、前記切り替え部は前記通信可能状態へ切り替えることが好ましい。さらに、前記第２制御信号が前記信号入力部に入力された場合、前記切り替え部は、前記アンテナ部と前記外部通信機器との間で通信が可能な通信可能状態に切り替えることが好ましい。
【手続補正１０】
【補正対象書類名】明細書
【補正対象項目名】００１５
【補正方法】変更
【補正の内容】
【００１５】
前記アンテナ部を介して前記外部通信機器と通信を行う通信部を備え、前記表示装置に設けられた装置側通信部が実行する通信プロトコルを装置側通信プロトコルと定義した場合、前記通信部が実行する通信プロトコルは、前記装置側通信プロトコルと異なることが好ましい。